【手続補正書】
【提出日】平成25年2月5日(2013.2.5)
【手続補正１】
【補正対象書類名】特許請求の範囲
【補正対象項目名】全文
【補正方法】変更
【補正の内容】
【特許請求の範囲】
【請求項１】
送信手段によりネットワークを介して受信装置にデータを送信する通信装置であって、
前記受信装置によるデータの受信状況を示す受信状況情報を前記受信装置から受信する受信手段と、
前記受信手段により受信された受信状況情報に応じて、前記受信装置へのデータの送信レートを制御するレート制御手段と、
前記受信手段により受信された受信状況情報に応じて、前記送信手段からのデータを受信中の前記受信装置により行われる受信状況情報の送信を制御する送信制御手段と
を有することを特徴とする通信装置。
【請求項２】
前記送信制御手段は、前記受信手段により受信された受信状況情報が第１の受信状況を示している場合、前記受信手段により受信された受信状況情報が前記第１の受信状況よりもエラーしたデータが少ない第２の受信状況を示している場合よりも早いタイミングで前記受信装置に次の受信状況情報を送信させることを特徴とする請求項１記載の通信装置。
【請求項３】
前記送信制御手段は、前記受信手段により受信された受信状況情報が第１の受信状況を示している場合、前記受信装置に第１の期間の受信状況を示す受信状況情報を送信させ、
前記受信手段により受信された受信状況情報が前記第１の受信状況よりもエラーしたデータが多い第２の受信状況を示している場合、前記受信装置に前記第１の期間よりも短い第２の期間の受信状況を示す受信状況情報を送信させることを特徴とする請求項１記載の通信装置。
【請求項４】
前記送信制御手段は、複数の受信装置に一致する期間の受信状況を示す受信状況情報を送信させることを特徴とする請求項１乃至３のうち、いずれか１項記載の通信装置。
【請求項５】
前記送信制御手段は、第１の受信状況情報を送信した第１の受信装置と、第１の受信状況情報の後に受信した第２の受信状況情報であって、前記第１の受信状況情報に受信状況が対応する第２の受信状況情報を送信した第２の受信装置とに、一致するタイミングで受信状況情報を送信させることを特徴とする請求項４記載の通信装置。
【請求項６】
前記送信制御手段は、前記第１、第２の受信装置に一致するタイミングで受信状況情報を送信させる前よりも、前記第１、第２の受信装置による受信状況情報の送信間隔を短くさせる
ことを特徴とする請求項５記載の通信装置。
【請求項７】
前記送信制御手段が前記第１、第２の受信装置に一致するタイミングで送信させた受信状況情報が対応する場合、前記送信制御手段は、前記第１、第２の受信装置に、受信状況情報を交互に送信させることを特徴とする請求項５又は６記載の通信装置。
【請求項８】
前記送信制御手段は、前記第１、第２の受信装置に受信状況情報を交互に送信させる前よりも、前記第１の受信装置による受信状況情報の送信間隔と、前記第２の受信装置による受信状況情報の送信間隔とを、それぞれ長くさせることを特徴とする請求項７記載の通信装置。
【請求項９】
前記ネットワークを介して接続される受信装置の優先度を取得する取得手段と、
受信状況情報が対応する前記第１、第２の受信装置のそれぞれの優先度と、前記受信状況情報が示す受信状況とに基づいて、前記第１の受信装置に対する第１の送信レートと、前記第２の受信装置に対する第２の送信レートとを決定する決定手段と
を有することを特徴とする請求項７又は８記載の通信装置。
【請求項１０】
同じデータの送信先であって、前記受信状況情報が対応する前記第１、第２の受信装置に対し、エラーしたデータの再送要求を送信可能なタイミングを指定する指定手段を有することを特徴とする請求項７乃至９のうち、いずれか１項記載の通信装置。
【請求項１１】
送信手段によりネットワークを介して受信装置にデータを送信する通信装置が行う通信方法であって、
前記受信装置によるデータの受信状況を示す受信状況情報を前記受信装置から受信する受信工程と、
前記受信工程により受信された受信状況情報に応じて、前記受信装置へのデータの送信レートを制御するレート制御工程と、
前記受信工程により受信された受信状況情報に応じて、前記送信手段からのデータを受信中の前記受信装置により行われる受信状況情報の送信を制御する送信制御工程と
を有することを特徴とする通信方法。
【請求項１２】
送信手段によりネットワークを介して受信装置にデータを送信するコンピュータであって、
前記受信装置によるデータの受信状況を示す受信状況情報を前記受信装置から受信する受信手順と、
前記受信手順により受信された受信状況情報に応じて、前記受信装置へのデータの送信レートを制御するレート制御手順とを実行するコンピュータに、
前記受信手順により受信された受信状況情報に応じて、前記送信手段からのデータを受信中の前記受信装置により行われる受信状況情報の送信を制御する送信制御手順を実行させることを特徴とするプログラム。
【請求項１３】
送信装置が送信したデータをネットワークを介して受信する通信装置であって、
前記送信装置に、データの受信状況を示す受信状況情報を送信する送信手段と、
前記送信装置から、データの受信状況を示す受信状況情報の送信を制御する制御信号を受信する受信手段と、
前記送信手段により受信状況情報を送信したあとに前記受信手段により受信した制御信号に応じて、当該制御信号の受信後に受信したデータの受信状況を示す受信状況情報の送信を制御する制御手段と
を有することを特徴とする通信装置。
【請求項１４】
送信装置が送信したデータをネットワークを介して受信する通信装置が行う通信方法であって、
前記送信装置に、データの受信状況を示す受信状況情報を送信する送信工程と、
前記送信装置から、データの受信状況を示す受信状況情報の送信を制御する制御信号を受信する受信工程と、
前記送信工程により受信状況情報を送信したあとに前記受信工程により受信した制御信号に応じて、当該制御信号の受信後に受信したデータの受信状況を示す受信状況情報の送信を制御する制御工程と
を有することを特徴とする通信方法。
【請求項１５】
送信装置が送信したデータをネットワークを介して受信するコンピュータであって、
前記送信装置に、データの受信状況を示す受信状況情報を送信する送信手順と、
前記送信装置から、データの受信状況を示す受信状況情報の送信を制御する制御信号を受信する受信手順とを実行するコンピュータに、
前記送信手順により受信状況情報を送信したあとに前記受信手順により受信した制御信号に応じて、当該制御信号の受信後に受信したデータの受信状況を示す受信状況情報の送信を制御する制御手順を実行させることを特徴とするプログラム。
【手続補正２】
【補正対象書類名】明細書
【補正対象項目名】００１１
【補正方法】変更
【補正の内容】
【００１１】
上記目的を達成するために、本発明の通信装置は、例えば、以下の構成を有する。すなわち、ネットワークを介して受信装置にデータを送信する送信手段を有する通信装置であって、前記受信装置によるデータの受信状況を示す受信状況情報を前記受信装置から受信する受信手段と、前記受信手段により受信された受信状況情報に応じて、前記受信装置へのデータの送信レートを制御するレート制御手段と、前記受信手段により受信された受信状況情報に応じて、前記送信手段からのデータを受信中の前記受信装置により行われる受信状況情報の送信を制御する送信制御手段とを有する。